(57)【特許請求の範囲】
【請求項１】
トリエタノールアミンを２５重量％以上含有することを特徴とする銅石鹸による青色着色物を除去する除去剤。
【請求項２】
トリエタノールアミンを５０重量％以上含有することを特徴とする銅石鹸による青色着色物を除去する除去剤。
【請求項３】
キサンタンガム、もしくはカルボマーを含有する請求項１、２のいずれか１項記載の銅石鹸による青色着色物を除去する除去剤。
【発明の詳細な説明】
【技術分野】
【０００１】
本発明は、浴槽、浴室や洗面台等に生じる青色着色物の除去剤に関するものであり、さらに詳しくは、給湯器及び設備配管に使用した銅管から溶出する銅イオンと湯垢や石鹸に含まれる脂肪酸が反応して、不溶性の銅石鹸が生成し、これが浴槽、浴室や洗面台等に付着して青く着色する。この青色着色物を除去する除去剤に関するものである。
【背景技術】
【０００２】
銅管から溶出した銅は、銅イオンとなり、そのものには色はないが、人の身体や石鹸からでた脂肪酸と反応して不溶性の青い物質となる。これが、空気中の酸素や炭酸ガスと反応して、浴槽、浴室や洗面台等の青色着色物となる。付着初期には、比較的簡単に除去できるが、乾燥が繰り返され、固着すると除去が困難となる。しかし、銅石鹸による青色着色物の除去の為の専用のものはない。
【０００３】
銅管は、加工の良さ、熱伝導の良さ、水道水、地下水に対する耐食性が優れていることから、浴槽、浴室や洗面台等に湯を供給する給湯器及び設備配管に多く用いられている。通常、銅管は、数週間から数ケ月かけ表面が酸化され、酸化被膜が出来、銅の溶出はおこらなくなる。しかし、それまでの期間、又は水道水、地下水の水質でｐＨが低い場合等、この被膜がつきにくく、銅の溶出がおこる。
【０００４】
一般的に銅石鹸による青色着色物を除去するには、市販されている浴槽、浴室や洗面台等の洗浄剤、アンモニア水を薄めた水溶液、水酸化ナトリウム、水酸化カリウムの強アルカリ性水溶液、炭酸水素ナトリウムの弱アルカリ性水溶液、酸性である食酢を薄めたものやクエン酸を使用すること等が知られている。
【０００５】
しかし、市販されている洗浄剤では、銅石鹸による青色着色物を容易に落とすことはできない。このため、タワシ等で強くこする等して物理的な力を加えて洗浄する、あるいは研磨する必要があり、作業に多大な労力と時間を要する割には、着色物が除去できないという不具合と浴槽をきずつける心配があった。
【０００６】
尚、市販されている浴槽、浴室や洗面台等の洗浄剤には、中性、アルカリ性のものがあり、中性のものは、非イオン界面活性剤、陰イオン界面活性剤、両性界面活性剤が主成分となり、エタノールアミンは配合されていない。また、アルカリ性のものは、次亜塩素酸ナトリウムや過炭酸ナトリウムの酸化剤に非イオン界面活性剤を加え、水酸化ナトリウムでｐＨを調整しアルカリ性とするものであるため、エタノールアミンは、含まれていない。
【０００７】
アンモニア水を薄めた溶液では、青色着色物は除去できるが、医薬用外劇物であることによる取扱いと、その強い刺激臭により、浴室等での作業は危険である。
【０００８】
水酸化ナトリウム、水酸化カリウムの強アルカリ性水溶液は、青色着色物を除去できるが、白色の不溶物が残る。また、アンモニア水と同様に医薬用外劇物で、強アルカリ性でもあるため、作業は危険である。
【０００９】
炭酸水素ナトリウム、食酢、クエン酸は、何れも安全な物質であるが、それらの水溶液を使用しても銅石鹸による青色着色物は、ほとんど除去できない。
【００１０】
一方、下記特許文献１に、配管に使われている銅管から溶出した銅イオンに触れても、青色着色物を生ぜしめることなく、同時に食器などのすすぎ効果も十分に発揮する、すすぎ用助剤が提案され、青色着色物の原因となる銅イオンの反応性を抑える効果は、示されている。しかし、青色着色物を除去する内容は開示されていない。
【００１１】
また、下記特許文献２に、浴槽の表面にこびり付いた湯垢等の汚れを容易に洗浄除去するのに、アルカリ剤を使用するものが提案されている。湯垢等の汚れに対しては、効果をしめすものであるが、青色着色物を除去する効果は満足いくものではない。
【先行技術文献】
【特許文献】
【００１２】
【特許文献１】特開平１１−３４９９９６号公報
【特許文献２】特開平１１−２９０２３０号公報
【発明の概要】
【発明が解決しようとする課題】
【００１３】
本発明は、上記事情に鑑みてなされたもので、浴槽、浴室や洗面台等に供給される湯の給湯器及び設備配管に使用した銅管から溶出したわずかの銅イオンと、湯垢や石鹸に含まれる脂肪酸が反応して生成する銅石鹸による青色着色物を除去するものを提供することにある。
【課題を解決するための手段】
【００１４】
銅イオンと、湯垢や石鹸に含まれる脂肪酸が反応して生成する銅石鹸による青色着色物を、エタノールアミンを必須成分とする青色着色物除去剤を青色着色箇所に塗布して、刺激臭がなく効率良く除去するものである。
【００１５】
本発明の銅石鹸による青色着色物を除去する除去剤は、エタノールアミンを必須成分として含有し、浴槽、浴室や洗面台等の青色着色物に本青色着色物除去剤を塗布し、本青色着色物を除去する事を特徴とする。
【００１６】
本発明において、エタノールアミンとは、モノエタノールアミン、ジエタノールアミン、トリエタノールアミンが挙げられる。モノエタノールアミンは、銅石鹸と反応して青色着色物を除去するが、医薬用外劇物であることから取り扱いに注意を要する。また、ジエタノールアミンは、銅石鹸による青色着色物を除去するが、そのものが常温で固体であり取り扱いが不便である。トリエタノールアミンは、常温で液体である為、銅石鹸と反応して溶解しやすく、刺激臭がなく、青色着色物除去効果が高く特に好ましい。
【００１７】
トリエタノールアミンの含有量は、特に限定されないが、５〜１００重量％であることが好ましい。さらに青色着色物の除去効果を高めるためにトリエタノールアミンの含有量が、５０〜１００重量％であることがより好ましい。
【００１８】
エタノールアミンは、トリエタノールアミンとともに、モノエタノールアミン、ジエタノールアミン等の１種以上を併用して用いることもできる。
【００１９】
本青色着色物を除去する除去剤には、上記成分に加え、本発明の効果を損なわない範囲内で、必要に応じて、例えば陰イオン界面活性剤、非イオン界面活性剤、両性界面活性剤、金属イオン封鎖剤、多価アルコール等、一般に洗浄剤に用いられている他の成分を配合しても良い。
【００２０】
除去剤の使用できる浴槽、浴室や洗面台は、何でも良いが、ガラス繊維強化ポリエステル（ＦＲＰ）、ガラス繊維強化アクリル（ＦＲＡ）、人工大理石（ポリエステル系、アクリル系）、ホーロー、木、石、タイルの材質のものが挙げられる。
【発明の効果】
【００２１】
本発明では、エタノールアミンを用いることで、化学的に銅石鹸による青色着色物を除去できるため、物理的に、浴槽、浴室や洗面台等を強くこする等の必要はなく、それらの表面を傷つける心配はない。塗布し、放置して、水で流すのみで良好な青色着色物除去効果を得ることができる。
【発明を実施するための形態】
【００２２】
以下、本発明を実施例により具体的に説明するが、本発明の範囲はこれに限定されるものではない。実施例中の配合量は重量％である。
【実施例】
【００２３】
（試験１）３種のエタノールアミンを用い、疑似青色着色物として、銅石鹸であるステアリン酸銅を常温で加え、ステアリン酸銅の溶解試験を行った。評価は下記基準にて行い、結果を表１に示した。
【００２４】
＜試験方法＞実施例１〜１０に示す各液１００ｇをビーカーに量り、ステアリン酸銅０．０１ｇを加え、撹拌して静置した。その後、ビーカー内の水溶液を目視及び嗅覚にて評価を行った。また、比較例１〜５についても同様に試験を行い評価した。
【００２５】
＜評価基準１＞ビーカーの水溶液の匂いを嗅ぎ、刺激臭なし「○」、刺激臭あり「×」とした。
【００２６】
＜評価基準２＞ビーカーの中の水溶液を観察し、青色固体であるステアリン酸銅の溶解を確認し、溶解できたものを「○」、ステアリン酸銅の青色固体は溶解したが、白色の沈殿物があるものを「△」、青色固体の残ったものを「×」と評価した。
【００２７】
＜評価基準３＞ビーカーにステアリン酸銅を加えて、撹拌し続け、溶解までの時間を測定した。添加直後から１０分以内に溶解したものを「◎」、１０分を超えて３０分以内に溶解したものを「○」、３０分を超えて６０分以内に溶解したものを「△」とした。６０分を超えても溶解しないものは、「×」とした。
【００２８】
【表１】
0005442503.tif 000002
【００２９】
表1に示すように、エタノールアミンを用いた実施例１〜１０では、銅石鹸であるステアリン酸銅を溶解することができ、浴槽、浴室や洗面台に着色した青色着色物を除去することができる。これに対して、比較例１では、ステアリン酸銅を溶解するが、アンモニアの強い刺激臭があり、危険である。比較例２と３では、銅石鹸の青色はなくなるが、白色の沈殿物ができる。比較例４と５では、そのまま青色のステアリン酸銅が残り、除去効果はない。
【００３０】
また、表１の評価基準３に示すように、トリエタノールアミンを５０重量％以上配合することにより、ステアリン酸銅を溶解する時間が短縮され効率が良い。つまり、短時間で浴槽、浴室や洗面台等に付着した青色着色物を除去できる。
【００３１】
（試験２）ガラス繊維強化ポリエステル（ＦＲＰ）の浴槽に、２００Ｌの４５℃のお湯を入れる。炭酸ナトリウム２０ｇと固形石鹸５ｇを入れ、よくかき混ぜてそれぞれを溶解させる。次に銅イオン濃度が２００ｐｐｍとなるように硝酸銅を加えてよくかき混ぜた後、静置し、２４時間後に水を抜く。浴槽を洗浄することなく、同様の事を毎日繰り返して、水面に接する浴槽の壁面に青色の着色物を生じさせる。この浴槽壁面にできた青色帯状の部分を下記の試験に用いた。
【００３２】
＜試験方法＞実施例１１〜１５に示すトリエタノールアミン水溶液をコットンに含浸させ、このコットンを上記浴槽の青色部分に密着させ、１時間放置して水ですすいだ。
【００３３】
比較例６〜８も同様に試験を行い、その後、たわしで浴槽表面をこすった。比較例７は、界面活性剤にポリオキシエチレンアルキルエーテルを主成分とした市販の中性浴槽洗浄剤、比較例８は、界面活性剤にアルキルアミンオキシド、アルカリ剤に水酸化ナトリウムを用いた市販のアルカリ性浴槽洗浄剤である。
【００３４】
＜評価基準４＞浴槽表面を水ですすぐのみで、青色着色物を除去できたものを「○」、水ですすぐのみでは除去できず、浴槽表面を若干こすることにより、青色着色物の大部分を除去できたものを「△」、浴槽表面をこすっても除去できなかったものを「×」とした。その結果を表２に示す。
【００３５】
【表２】
0005442503.tif 000003
【００３６】
表２に示すように、トリエタノールアミンを５重量％以上用いた実施例１１〜１５では、銅石鹸による青色着色物を除去することができる。これに対して、比較例６は、水ですすぐだけでは除去できず、浴槽表面をこする必要がある。また、比較例７の市販の中性浴槽洗浄剤、比較例８の市販のアルカリ性浴槽洗浄剤では青色着色物を除去できない。
【００３７】
液剤
成分                                                    配合量（重量％）
実施例１６    比較例９
１  トリエタノールアミン                                  ２０          −
２  ポリオキシエチレン（４）ラウリルエーテル                ５          ５
３  ポリオキシエチレン（３）ラウリルエーテル硫酸ナトリウム１０        １０
４  香料                                                    ０．１      ０．１
５  プロピレングリコール                                    ５          ５
６  ポリリン酸ナトリウム                                    ０．１      ０．１
７  水                                                    ５９．８    ７９．８
合計                      １００      １００
（製造方法）成分７に成分６を溶解し、撹拌しながら成分１〜５を添加し目的の液剤を得る。
（試験方法）上記（試験２）と同様の方法にて、実施例１６と比較例９を試験した。
（結果）実施例１６の液剤は、刺激臭もなく、効率よく銅石鹸による青色着色物を除去できた。これに対し、比較例９においては青色着色物を除去できなかった。
【００３８】
半固形剤
成分                                                  配合量（重量％）
実施例１７    比較例１０
１  トリエタノールアミン                                  １０          −
２  モノエタノールアミン                                    ５          −
３  ラウリル硫酸ナトリウム                                  ５          ５
４  香料                                                    ０．３      ０．３
５  カルボマー                                              ０．８      ０．８
６  グリセリン                                              ２          ２
７  エデト酸４ナトリウム                                    ０．１      ０．１
８  水                                                    ７６．８    ９１．８
合計                      １００      １００
（製造方法）成分８に成分７を溶解し、撹拌しながら成分５〜６を添加し分散溶解し、その後、成分１〜４を添加し目的の半固形剤を得る。
（試験方法）上記（試験２）と同様の方法にて、実施例１７と比較例１０を試験した。
（結果）実施例１７の半固形剤は、刺激臭もなく、効率よく銅石鹸による青色着色物を除去できた。これに対し、比較例１０においては青色着色物を除去できなかった。
【産業上の利用可能性】
【００３９】
本発明によれば、銅石鹸による青色着色物を、刺激臭がなく、効率よく除去できる除去剤を提供することができる。当該青色着色物を除去する除去剤は、浴槽、浴室や洗面台等の衛生用品を提供するものである。